(57)【要約】【課題】ルーバ等の設計の自由度を高め、外観を向上させ、加工や施工の簡素化、及びコストの低減化を図る。【解決手段】  本発明は、長尺中空形状の建築部材１１の端部に取り付けられ、建築部材１１を固定対象物１２に固定するための建築部材用固定具１３であって、互いに対向する対向面１６ａ，１６ｂを有し、対向面１６ａ，１６ｂが建築部材１１の端部の中空部３０に挿入されて該端部の対向する内面３１ａ，３１ｂに密着することにより建築部材１１に固定される挿入部１７と、挿入部１７から建築部材１１の端面１９に略平行に外側に延設され、固定対象物１２に固定される延設部２０とを備えていることを特徴とする。【選択図】図２
2009209537.tif 000002
【特許請求の範囲】
【請求項１】
長尺中空形状の建築部材の端部に取り付けられ、該建築部材を固定対象物に固定するための建築部材用固定具であって、
互いに対向する対向面を有し、該対向面が前記建築部材の端部の中空部に挿入されて該端部の対向する内面に密着することにより前記建築部材に固定される挿入部と、
該挿入部から前記建築部材の端面に略平行に外側に延設され、前記固定対象物に固定される延設部と、
を備えていることを特徴とする建築部材用固定具。
【請求項２】
前記挿入部は、帯状の金属板をコの字状に成形して形成されており、前記延設部は、該コの字状に成形された金属板の少なくとも一端部から略直角に延設されて形成されている請求項１に記載の建築部材用固定具。
【請求項３】
前記挿入部の対向面の間に介設される補強部を備えている請求項１又は２に記載の建築部材用固定具。
【請求項４】
前記建築部材はセラミックルーバである請求項１〜３のいずれか１の請求項に記載の建築部材用固定具。
【発明の詳細な説明】
【技術分野】
【０００１】
本発明は、長尺中空形状の建築部材の端部に取り付けられ、該建築部材を固定対象物に固定するための建築部材用固定具であって、特に、セラミックルーバを固定するための建築部材用固定具に関するものである。
【背景技術】
【０００２】
一般に、建築物には、目隠し、換気、日当たりの調整などの目的でルーバが設置されている。
【０００３】
図７に示されているように、従来のこの種のルーバ１は、アルミニウムや木、或いはセラミックスなどから成る長尺中空形状の建築部材２を建具枠３に所定ピッチで並設することにより形成されている（例えば、特許文献１参照）。
【０００４】
そして、建築部材２を建具枠３へ固定するには、図８に示すように、建築部材２の両端部を樋状のランナー部材４に嵌設し、建築部材２の内面に配設したプレート部材５とランナー部材４の側面４ａとで建築部材２を挟持し、それらの各部材を建築部材２の前後からビス６等で締め付けることにより行われている。
【特許文献１】特開２００６-２８９２７号公報
【発明の開示】
【発明が解決しようとする課題】
【０００５】
しかしながら、上記した従来の技術では、図７に良く示されているように、ランナー部材４の側面４ａにビス６の頭６ａが露出すると共に、建築部材２をランナー部材４の側面４ａで固定しているため側面４ａの高さを低く抑えることができない。したがって、ルーバの設計の自由度を高めることができず、外観の向上を図り難いといった問題があった。
【０００６】
また、建築部材２の端部にビス６を挿通させる孔７を加工する必要があるため、加工に手間が掛かり、コスト増の要因となるといった問題があった。
【０００７】
さらに、建築部材２を建具枠３に固定する時に建築部材２の前後からビス６の取り付け作業を行う必要があるため、例えば、建築部材２をバルコニーの手摺に取り付けたりする場合には、外部足場を組む必要があり、施工が大掛かりになるといった問題もあった。
【０００８】
本発明は、上記した課題を解決すべくなされたものであり、ルーバ等の設計の自由度を高め、外観を向上させることができ、加工や施工が容易で、コストの低減化が可能な建築部材用固定具を提供することを目的とするものである。
【課題を解決するための手段】
【０００９】
上記した目的を達成するため、本発明は、長尺中空形状の建築部材の端部に取り付けられ、該建築部材を固定対象物に固定するための建築部材用固定具であって、互いに対向する対向面を有し、該対向面が前記建築部材の端部の中空部に挿入されて該端部の対向する内面に密着することにより前記建築部材に固定される挿入部と、該挿入部から前記建築部材の端面に略平行に外側に延設され、前記固定対象物に固定される延設部とを備えていることを特徴とする。
【００１０】
そして、本発明の建築部材用固定具において、前記挿入部は、帯状の金属板をコの字状に成形して形成されており、前記延設部は、該コの字状に成形された金属板の少なくとも一端部から略直角に延設されて形成されているのが好ましい。
【００１１】
また、本発明の建築部材用固定具は、前記挿入部の対向面の間に介設される補強部を備えていてもよい。
【００１２】
さらに、本発明の建築部材用固定具が使用される前記建築部材はセラミックルーバであってもよい。
【発明の効果】
【００１３】
本発明によれば、ルーバ等の設計の自由度を高め、外観を向上させることができ、加工や施工が容易となり、コストの低減化を図ることができる。
【発明を実施するための最良の形態】
【００１４】
以下、図面を参照しつつ、本発明の実施の形態について説明する。ここで、図１は本発明の実施の形態に係る建築部材用固定具を使用したセラミックルーバを示す正面図、図２は同建築部材用固定具を使用してセラミックルーバを取り付けた状態を示す断面図、図３は図２のＡ−Ａ矢視図、図４は図３のＢ−Ｂ矢視図、図５は同建築部材用固定具を示す斜視図である。なお、以下の説明では、本発明の実施の形態に係る建築部材用固定具をセラミックルーバに使用した場合について例示して説明する。
【００１５】
セラミックルーバ１０は、上下に細長で角筒形状の複数（図１では１２個）のセラミックス製の建築部材１１を矩形環状の建具枠１２に所定ピッチで並設することにより形成されており、各建築部材１１の上下端部は建築部材用固定具１３及びランナー部材１４を介して建具枠１２の上下水平部材１５に固定されるようになっている。
【００１６】
建築部材用固定具１３は、帯状の金属板をコの字状に成形されて互いに対向する対向面１６ａ，１６ｂを有する挿入部１７と、挿入部１７の対向面１６ａ，１６ｂの間に斜めに介設される筋交い板状の補強部１８と、挿入部１７の一端部から略直角に建築部材１１の端面１９に略平行に外側に延設される延設部２０とが一体成形されて構成されており、挿入部１７は少なくとも対向面１６ａ，１６ｂの対向する方向に弾性を有するように形成されている。
【００１７】
ランナー部材１４は、建具枠１２の上下水平部材１５に固定されるベース部材２１と、ベース部材２１に固定されて建築部材用固定具１３の延設部２０を建具枠１２の上下水平部材１５に押圧する押さえ部材２２とを備えて構成されている。
【００１８】
ベース部材２１は、所定の空間２８を置いて対峙する前後一対のＬ字型部材２３，２３と、両端部がＬ字型部材２３，２３にそれぞれビス２７等で固定されてＬ字型部材２３，２３を連結する短冊板状の連結部材２４とを備えており、連結部材２４の中央部分２５は建具枠１２から離間する方向に隆起して形成されている。また、押え部材２２は、板状部材の両側部分２６を建築部材用固定具１３の延設部２０側に折り返した扁平なＣ字状断面を有している。
【００１９】
次に、本発明の実施の形態に係る建築部材用固定具１３を使用してセラミックルーバ１０を組み立てる手順を説明する。
【００２０】
先ず、連結部材２４によってベース部材２１を連結したランナー部材１４を建具枠１２の上下水平部材１５にそれぞれビス等（図示省略）により固定する。そして、前後一対のＬ字型部材２３，２３間の空間２８内の所定位置に延設部２０が建具枠１２の上下水平部材１５に接触するように建築部材用固定具１３をセットする。その後、延設部２０に一方の側部分が当接するように押え部材２２をセットし、押え部材２２と連結部材２４とを化粧ビス２９で締結する。これにより、建築部材用固定具１３はその延設部２０が建具枠１２の上下水平部材１５と押え部材２２とに挟持された状態となり、建具枠１２に固定される。
【００２１】
次いで、このように建築部材用固定具１３が建具枠１２に固定された状態で、建築部材１１の端部の中空部３０に建築部材用固定具１３の挿入部１７を挿入する。そうすると、挿入部１７の対向面１６ａ，１６ｂがそれぞれ建築部材１１の端部の対向する内面３１ａ，３１ｂに密着し、挿入部１７の弾性により建築部材１１は建築部材用固定具１３に固定される。また、この時、建築部材１１の端面１９が押え部材２２に当接するため、押え部材の浮き上がりを防止することができ、建築部材用固定具１３は建具枠１２に確実に固定される。
【００２２】
以降、上記した手順と同様の手順で、順次、各建築部材用固定具１３を建具枠１２に固定すると共に、各建築部材１１の上下端部をそれぞれ建築部材用固定具１３に固定し、セラミックルーバ１０を組み立てる。
【００２３】
上記したように本発明の実施の形態に係る建築部材用固定具１３を使用することにより、ランナー部材１４の側面１４ａ，１４ｂにビスの頭が露出することがない。また、建築部材１１をランナー部材１４の側面１４ａ，１４ｂで固定しないため、側面１４ａ，１４ｂの高さを低く抑えることができる。したがって、セラミックルーバ１０の設計の自由度を高めることができ、外観の向上を図ることができる。
【００２４】
また、建築部材１１の端部にビスを挿通させる孔を加工する必要がないため、加工が容易となり、コストの低減化を図ることができる。
【００２５】
さらに、建築部材１１を建具枠１２に固定する時に建築部材１１の前後からビスの取り付け作業を行う必要がないため、例えば、建築部材１１をバルコニーの手摺に取り付けたりする場合にも、内側からの作業だけで済むため、外部足場を組む必要がなく、施工の簡素化及び作業の安全性の向上を図ることができる。
【００２６】
なお、上記した実施の形態では、建築部材用固定具１３の挿入部１７の対向面１６ａ，１６ｂの間に斜めに筋交い板状の補強部１８を介設しているが、補強部１８を対向面１６ａ，１６ｂの間に直角に介設する等、補強部１８の形状は上記した形状に限定されるものではなく、また、挿入部１７の材質や形状によっては、補強部１８を省略することも可能である。
【００２７】
また、図６に示すように、挿入部１８の対向面１６ａ，１６ｂを拡幅して台形状に形成し、挿入部１８の弾性をより十分に利用して挿入部１８の対向面１６ａ，１６ｂと建築部材１１の対向する内面３１ａ，３１ｂとの密着度を高め、ガタツキを防止するようにしてもよい。
【００２８】
さらに、建築部材用固定具１３の建具枠１２への固定方法は、上記した方法に限定されるものではなく、例えば、図６に示すように、延設部２０の先端部２０ａを段状に屈曲させてランナー部材１４にビス３２等により固定する等、ランナー部材１４を介して建築部材用固定具１３を建具枠１２に固定したり、或いは、延設部２０を建具枠１２の上下水平部材１５に直接固定したりする等、各種変更が可能である。
【００２９】
さらに、建築部材用固定具１３の延設部２０は挿入部１７の一端部だけでなく、その両端部から略直角に延設されていてもよい。
【００３０】
さらに、押え部材２２の化粧ビス２９を通常のビスに変え、押え部材２２を覆う化粧板を別個設けてもよい。
【００３１】
さらにまた、上記した実施の形態では、建築部材用固定具１３をセラミックルーバの組み立てに適用した場合について説明したが、これは単なる例示に過ぎず、本発明は、例えば、アルミニウム製のルーバを建具枠に固定する場合等、長尺中空形状の建築部材を固定対象物に固定する他の場合にも適用可能であることは言う迄もない。
【図面の簡単な説明】
【００３２】
【図１】本発明の実施の形態に係る建築部材用固定具を使用したセラミックルーバを示す正面図である。
【図２】本発明の実施の形態に係る建築部材用固定具を使用してセラミックルーバを取り付けた状態を示す断面図である。
【図３】図２のＡ−Ａ矢視図である。
【図４】図３のＢ−Ｂ矢視図である。
【図５】本発明の実施の形態に係る建築部材用固定具を示す斜視図である。
【図６】本発明の実施の形態に係る建築部材用固定部の変形例を示す断面図である。
【図７】従来例を示す正面図である。
【図８】従来例を示す断面図である。
【符号の説明】
【００３３】
１１            建築部材
１２            建具枠（固定対象物）
１３            建築部材用固定具
１６ａ，１６ｂ  対向面
１７            挿入部
１８            補強部
１９            建築部材の端面
２０            延設部
３０            中空部
３１ａ，３１ｂ  対向する内面
【図１】
2009209537.tif 000003
【図２】
2009209537.tif 000004
【図３】
2009209537.tif 000005
【図４】
2009209537.tif 000006
【図５】
2009209537.tif 000007
【図６】
2009209537.tif 000008
【図７】
2009209537.tif 000009
【図８】
2009209537.tif 000010